(57)【要約】【課題】  主に外装材として使用される建材の「グレア」を低減することができ、また雨水等から照明器具を保護できる照明器具を備えた建材を提供することを目的とする。【解決手段】  本発明に係る照明器具を備えた建材は、長尺状のフレーム１と、このフレーム１に取付けられるリフレクタ材２と、このリフレクタ材２に反射させる光を照射する照明器具３と、前記リフレクタ材２に生じるグレアを低減することができるカバー材４を備える。前記照明器具３は、前記リフレクタ材２とカバー材４によって形成される空間Ｓ１に配置され、且つ、前記照明器具３の外周３００と前記カバー材４の内周４２０との間には、離隔スペースＳ２が形成されている。【選択図】        図１
2018073595.tif 000002
【特許請求の範囲】
【請求項１】
フレームと、このフレームに取付けられるリフレクタ材と、このリフレクタ材に反射させる光を照射する照明器具と、前記リフレクタ材に生じるグレアを低減することができるカバー材を備え、且つ、前記照明器具の外周と、前記カバー材の内周との間に、離隔スペースを形成したことを特徴とする照明器具を備えた建材。
【請求項２】
前記カバー材の内周には、前記照明器具の外周に向けて形成されるガイド片を備えていることを特徴とする請求項１に記載の照明器具を備えた建材。
【請求項３】
前記カバー材は、前記照明器具の照射面からその照射光の進行方法に沿った被せ高さ（被せ幅）の被部を備えていることを特徴とする請求項１に記載の照明器具を備えた建材。
【請求項４】
前記カバー材の開口部には、その開口部を覆うキャップが取付けられていることを特徴とする請求項１に記載の照明器具を備えた建材。
【請求項５】
前記照明器具及びカバー材は前記リフレクタ材に組み込まれていると共に、前記リフレクタ材は、前記フレームに対して係脱自在に配置されていることを特徴とする請求項１に記載の照明器具を備えた建材。
【発明の詳細な説明】
【技術分野】
【０００１】
本願発明は、建物の建材として使用される照明器具を備えた建材に関する。
【背景技術】
【０００２】
出願人は、ＬＥＤプレートをアルミ押出し形材のケースに取り付けて構成されている照明器具を開発すると共に、その照明器具の建材への適用例についても、その研究、開発を進めている。
例えば、特許文献１では、ＬＥＤプレートを形材本体に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取付けられ、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
さらに、出願人は、建材と前記照明器具とのコラボレーションのみならず、広く、建材と照明とのコラボレーションを図ることができる建材の開発を進めている（特許文献２）。
【先行技術文献】
【特許文献】
【０００４】
【特許文献１】特開２０１３−１０５６１１号公報
【特許文献２】特願２０１６−２２６２５号
【発明の概要】
【発明が解決しようとする課題】
【０００５】
かかる開発過程において、本願の発明者は、次のような技術的課題を見出した。
前記建材は、長尺状のフレームに、照明器具と前記照明器具の照明光を反射させるためにリフレクタ材を備えているが、そのリフレクタ材によって引き起こされる「グレア（ｇｌａｒｅ）」という現象が生じる。
この「グレア」は、ギラギラとまぶしい光という意味である。
適正な照明は、人の生活や活動に不可欠なものであるが、「グレア」は、照明器具の輝度が高すぎて、光の過剰である場合に、その光が目に入ることで不快感を生じる現象である。
この現象は、光源からの直接的な光のみならず、鏡面などからの反射光等の間接的な光からも引き起こされるもので、不快感が生じる原因は心理的なものとされている。
「グレア」は目の順応状態にも関係するものとされ、例えば同じ高い輝度の照明器具が屋外に設置されている場合に、夜間ではそのまぶしさから「不快感」を感じるが、昼間では「不快感」を感じない場合がある。
かかる「グレア」を低減することが、照明器具を備えた建材の照明設計にあたり、解決すべき技術的課題となる。
【０００６】
また、その建材を外装用に用いる場合には、雨水等から照明器具等を保護するために、どのような構造にするかも技術的課題となる。
【０００７】
そこで、本願では、主に外装材として使用される照明器具を備えた建材において、「グレア」を低減することができ、また照明器具等を雨水等から保護することができる照明器具を備えた建材を提供することを目的とする。
【課題を解決するための手段】
【０００８】
上記課題を解決するため、本願発明に係る照明器具を備えた建材は、フレームと、このフレームに取付けられるリフレクタ材と、このリフレクタ材に反射させる光を照射する照明器具と、前記リフレクタ材に生じるグレアを低減することができるカバー材を備え、且つ、前記照明器具の外周と前記カバー材の内周とを離隔させるスペース（以下、離隔スペースと称する）を形成したことを特徴とする照明器具を備えた建材とした（請求項１に記載の発明）。
【０００９】
前記カバー材の内周には、前記照明器具の外周に向けて形成されるガイド片を備えていることを特徴とする照明器具を備えた建材とした（請求項２に記載の発明）。
【００１０】
前記カバー材は、前記照明器具の照射面からその照射光の進行方法に沿った被せ高さ（被せ幅）の被部を備えていることを特徴とする照明器具を備えた建材とした（請求項３に記載の発明）。
【００１１】
前記カバー材の開口部には、その開口部を覆うキャップが取付けられていることを特徴とする照明器具を備えた建材とした（請求項４に記載の発明）
【００１２】
前記照明器具及びカバー材は前記リフレクタ材に組み込まれていると共に、前記リフレクタ材は、前記フレームに対して係脱自在に配置されていることを特徴とする照明器具を備えた建材とした（請求５に記載の発明）。
【発明の効果】
【００１３】
前記カバー材を備えた結果、前記照明器具の照射光により、前記リフレクタ材に輝度が高いグレアが生じたとしても、その箇所からの光は、前記カバー材によって所定の角度のビームを形成することとなる。そのビームの範囲の外では、グレアを認識することができず、グレアが低減される。また、前記ビームの範囲の外では、不快を感じさせるシャープな輝度の高い光が低減され、柔らかな光を認識することができる。
また、前記照明器具の外周と前記カバー材の内周との間に離隔スペースが形成されているので、前記カバー材の内周側に入り込む雨水等は、前記離隔スペースを介して排出される。
よって本願発明によれば、「グレア」を低減することができ、また、照明器具等を雨水等から保護することができる照明器具を備えた建材を提供することができる。
【００１４】
前記カバー材の内側に前記照明器具を組み込む場合には、前記離隔スペースにより、前記照明器具の外周が前記カバー材の内周に接することがなく、また前記カバー材の内周に形成されるガイド片により、スムーズに前記照明器具を前記カバー材内に収めることができる。
【図面の簡単な説明】
【００１５】
【図１】本発明に係る照明器具を備えた建材の斜視図、
【図２】同建材の要部を切欠いて図示した同建材の斜視図、
【図３】同建材の正面図、
【図４】図３のＡ−Ａ線矢視の建材の端面図、
【図５】同建材の横断面図、
【図６】同建材のキャップの納まりを示した同建材の平面図、
【図７】同建材を構成する照明器具の縦断面図、
【図８】同建材の別例に係る配置図、
【図９】同建材の分解斜視図、
【図１０】同建材の作用説明図、
【図１１】同建材の作用説明図、
【図１２】同建材の作用説明図、
【図１３】同建材の作用説明図である。
【発明を実施するための形態】
【００１６】
本発明に係る照明器具を備えた建材（以下、単に建材とも称する）は、図１〜図９の各図に図示したように、例えば方立である長尺状のフレーム１と、このフレーム１に取付けられるリフレクタ材２と、このリフレクタ材２に反射させる光を照射する照明器具３と、前記リフレクタ材２に生じるグレアを低減することができるカバー材４を備える。
前記照明器具３は、前記リフレクタ材２とカバー材４によって形成される空間Ｓ１に配置され、且つ、前記照明器具３の外周３００と前記カバー材４の内周４２０との間には、離隔スペースＳ２が形成されている。
【００１７】
前記フレーム１は、図１乃至図６のように、形材の長尺方向に交差する面の断面形状が「コ」の字のように構成されて、リフレクタ材２、照明器具３及びカバー材４を取付けることができる第一の空間１０と、照明器具３の配線等を納めることができる第二の空間１１とからなる。
これらの空間１０，１１の境界には、前記リフレクタ材２とカバー材４を取付るための左右の起立片１２，１３がフレーム１の長尺方向に形成されている。
なお、図３等において、符号「６」により図示したものは、前記フレーム１の上下端を塞ぐ「フサギ材」である。後述する図８に図示したフレーム１，１を上下に連続させる場合は、最上部のフレーム１の上端部と、最下部のフレーム１の下端部とにのみフサギ材６を取り付け、中間にはフサギ材６を取り付けない。
【００１８】
前記リフレクタ材２は、図１乃至図６のように、前記フレーム１の左起立片１２及び右起立片１３に係止される左右の起立係止片２０，２１が前記リフレクタ材２の長手方向に沿ってそれぞれ長尺状に形成されていると共に、これらの左起立係止片２０及び右起立係止片２１の間に湾曲状の反射面２２が長尺状に形成されている。
前記リフレクタ材２の反射面２２の形状は、湾曲状のものに限定されるものではなく、例えば、平面状の反射面、波板状の反射面でもよい。
【００１９】
前記照明器具３は、図７に示すように、本体３０にＬＥＤモジュール３１を搭載したもので、入力線３２の端部に入力側コネクタ３３を、出力線３４の端部に出力側コネクタ３５を備え、これらの入力線３２及び入力側コネクタ３３並びに出力線３４及び出力側コネクタ３５は、前記第二の空間１１に配置されている。
前記ＬＥＤモジュール３１及びその照射面３６は、その照射面３６からの光が前記リフレクタ材２で反射されるように、前記リフレクタ材２側に傾斜して配置され、且つ、照明器具３の本体３０が、図５のように前記リフレクタ材２の反射面２２に固定されている。
なお、前記照明器具３のＬＥＤモジュール３１の発光色は、「青色」、「白色」、「青白色」等のＬＥＤを任意に選択することができる。
【００２０】
前記カバー材４は、図５に図示したように、前記フレーム１の左起立片１２に当接される当接部４０と、前記リフレクタ材２の右起立係合片２１に固定される固定部４１と、これらの当接部４０及び固定部４１の間に、照明器具３の本体３０の外周３００を覆う筒部４２がそれぞれ長尺状に形成されている。
前記筒部４２の内周４２０と照明器具３の本体３０の外周３００との間には離隔スペースＳ２が形成されており、かかる離隔スペースＳ２は、照明器具３の本体３０の外周３００に沿って上下方向に形成されているので、前記カバー材４の内側に浸入する雨水等は、離隔スペースＳ２を介して、前記カバー材４の下方の端部或は照明器具３の本体３０の下方の端部に到り排水される。
また、前記カバー材４の内側に入り込んだゴミやチリも下方に抜けるようになっている。
更に、前記照明器具３から発生する熱がカバー材４の空間Ｓ１に滞留しないよう、空気を循環させることもできる。
【００２１】
前記筒部４２の内周４２０には、前記筒部４２の長手方向に沿って、且つ、約９０度毎の３か所にガイド片４３が形成される。
前記離隔スペースＳ２の存在により、前記照明器具３の外周３００が前記カバー材４の内周４２０に接することがないことに加え、前記ガイド片４３のヒレで、前記照明器具３がピンポイントで押さえられることにより、スムーズに前記照明器具３を前記カバー材４に収めることができる。
前記ガイド片４３は、それぞれ２条のヒレで形成されており、後述のように、キャップの脚が２条のヒレに挿入さるようなっている。
このガイド片４３は、そのカバー材４の長手方向に沿って長尺状に形成してもよく、また、ピース状に形成してもよい。
なお、前記筒部４２の外周４２１には、前記ガイド片４３と共にキャップ５の脚を固定する凹部４４が形成されている。
【００２２】
このように構成された前記カバー材４は、図２に図示したように、その長手方向において前記照明器具３の本体３０の外周３００を囲む基部４５と、前記照明器具３の照射面３６の上方に形成される被部４６に区分されると共に、被部４６の端部には開口部４７が形成される。
【００２３】
前記被部４６による、前記照明器具３の照射面３６の上方の被せ幅（被せ高さとも称する）Ｌは、後述のように前記照明器具３が配置される高さ位置（階高さ）に応じて選択される。
前記開口部４７には、ゴミ溜まり等を防ぐために、その開口部４７を覆う透光性を有するキャップ５を取付けるようにしてもよい。
【００２４】
前記キャップ５は、図９のように前記開口部４７を覆うことができる表面部５０と、この表面部５０の端部から略鉛直方向に形成され、且つ、前記凹部４４で固定される脚からなる取付片５１と、同様に前記ガイド片４３の２条のヒレの間にスライドされる位置決片５２からなる。
【００２５】
上記のように構成される前記フレーム１に対するリフレクタ材２、照明器具３及びカバー材４の取付構造は、次の通りである。
図９に示したように、カバー材４が取けられる箇所には、リフレクタ材２が上下に分割されて、その下方のリフレクタ材（以下、下リフレクタ材）２に照明器具３及びカバー材４が固定されて予め一体的に組み込まれている。
上方のリフレクタ材（以下、上リフレクタ材）２の右起立係止片２１の下端には第１の切欠２３が形成され、これに嵌り合って対応する切欠嵌合片２４が下リフレクタ材２の右起立係止片２１の上端に形成されている。
また下リフレクタ材２の右起立係止片２１の下端には、前記フレーム１の右起立片１３に固定される固定片２５が形成されている。
そして、図５に図示されているように、下リフレクタ材２の前記右起立係止片２１は、長尺状の先端部２１０が前記フレーム１の右起立片１３，１４の間に差込まれて、前記切欠嵌合片２４と固定片２５がそれぞれ前記フレーム１の右起立片１３にネジ止めされている。
【００２６】
一体化された下リフレクタ材２と照明器具３及びカバー材４を前記フレーム１から取り外して、分離させるには、ネジを外し、上リフレクタ材２の右起立係止片２１の第１の切欠２３と前記切欠嵌合片２４との嵌合状態を解消されるため、下リフレクタ材２を下方にスライドさせる。なお、この下方へのスライドを可能にさせるため下リフレクタ材２の下方には所定のクリアランスＣ１が設けられている（図３参照）。
次に、下リフレクタ材２の右起立係止片２１の先端部２１０が前記フレーム１の右起立片１３、１４の間に差込まれている状態を解消させるため、下リフレクタ材２を横方向（図５の紙面において左側）にスライドさせる。
このような取り外し作業は、下リフレクタ材２の右起立係止片２１の前記先端部２１０が前記フレーム１の右起立片１３，１４の間に差込まれた状態で行われるので、リフレクタ材２、照明器具３及びカバー材４が前記フレーム１から、俄かに分離され、落下することはなく、メンテナンスの容易性を図ることができる。
最後に、カバー材４を引き出して入出力側コネクタ３３，３５を外し、前記フレーム１から外せばよい。
【００２７】
図８のように、前記フレーム１に対し、前記フレーム１の長手方向の上または／及び下に他のフレーム１を連結材（図示なし）によって連結し、複数の照明器具３を直列に配置するようにしてもよい。この場合、上下のフレーム１，１の間には所定のクリアランスＣ２（前記クリアランスＣ１の約１／２）が設けてあり、正面視における意匠性の向上、フレーム１の熱伸び対策、メンテナンス時の下リフレクタ材２の下方へのスライドを可能にしている。
【００２８】
ここで、クリアランスＣ２を利用して行うメンテナンス方法は、次の通りである。
このクリアランスＣ２と協働させるため、上リフレクタ材２の右起立係止片２１の下端には前記第１の切欠２３に隣接させて第２の切欠２６が形成されている（図２等参照）。
即ち、一体化された下リフレクタ材２と照明器具３及びカバー材４を前記フレーム１から取り外すには、ネジを外した後、前記下リフレクタ材２に固定されているキャップ５の板厚分に対応する前記上リフレクタ材２との重合幅に応じて、クリアランスＣ２を利用して下リフレクタ材２を下方に若干スライドさせる。なお、キャップ５が固定されていない場合も、下リフレクタ材２を下方に若干スライドさせることで、下記の作業が容易に行える。
次に、下リフレクタ材２の右起立係止片２１の先端部２１０がフレーム１の右起立片１３，１４の間に差込まれている状態を解消させるため、第２の切欠２６を利用して前記下リフレクタ材２を横方向（図５の紙面において左側）にスライドさせ、引き続き、下リフレクタ材２を手前に起こして、前記下リフレクタ材２を横方向（図５の紙面において右側）にスライドさせて、前記先端部２１０を右起立片１４の上方に乗り越えさせる。
次に、カバー材４等を引き出して、上述のように入出力側コネクタ３３，３５を外し、前記フレーム１から外せばよい。
このようなメンテナンス方法においても、下リフレクタ材２の右起立係止片２１の前記先端部２１０が前記フレーム１の右起立片１３，１４の間に差込まれた状態で行われるので、リフレクタ材２、照明器具３及びカバー材４が前記フレーム１から、俄かに分離され、落下することはなく、メンテナンスの容易性を図ることができる。
【００２９】
なお、図４に図示したように、前記フレーム１に対して、前記リフレクタ材２は、特皿ネジにより止着されており、照明器具３の照射光がネジ頭に当たり、その立体形が目立つことを避けることができるようにしている。
【００３０】
以上のように構成される建材の作用効果を纏めれば、次に通りである。
グレアの低減
前記照明器具３の照射光により、前記リフレクタ材２に輝度が高いグレアが生じた場合、その箇所等からの光により、前記カバー材４の開口部４７から、前記リフレクタ材２（或は前記フレーム１、以下同様）の長手方向に対し所定の角度でビームｂが形成される。よって、そのビームの範囲の外では、グレアを認識することができずグレアが低減されると共に、柔らかな光を認識することができる。
【００３１】
このような建材の作用効果を図１０〜図１３の図示に従って、説明すれば次の通りである
図１０及び図１１は、それぞれ前記照明器具３の配置高さＨ１が４メートルで、且つ、下方に照射される場合（以下、ダウンとも称する）で、図１０は前記カバー材４の被部４６の被せ幅Ｌを約２０ｍｍに設定した場合、図１１は同被部４６の被せ幅Ｌを約１００ｍｍに設定した場合を図示したものである。
図１２及び図１３は、それぞれ前記照明器具３の配置高さＨ２が０．５メートルで、且つ、上方に照射される場合（以下、アッパーとも称する）で、図１２は前記カバー材４の被部４６の被せ幅Ｌを約２０ｍｍに設定した場合、図１３は同被部４６の被せ幅Ｌを約１００ｍｍに設定した場合を図示したものである。
即ち、図１０及び図１２に図示するように、前記カバー材４の被部４６による被せ高さＬが約２０ｍｍの場合には、前記カバー材４の開口部４７からは、前記リフレクタ材２の長手方向に対して約４５度のビームｂが形成され、グレアを低減することができる角度として、約４５度のグレアカット角度がえられる。
【００３２】
一方、図１１及び図１３に図示するように、前記被せ高さＬが、約１００ｍｍの場合には、前記カバー材４の開口部４７からは、前記リフレクタ材２の長手方向に対して約１０度のビームｂが形成され、グレアを低減することができる角度として、約８０度のグレアカット角度がえられる。
【００３３】
図１０及び図１２の約４５度のグレアカット角度の場合には、前記フレーム１から約０．５メートル離れる歩行者Ｐに対しグレアが意識されることとなる。
しかし、図１１及び図１３の約８０度のグレアカット角度の場合には、それぞれ前記歩行者Ｐに共にグレアが意識されることはない。また，ビームｂの範囲Ｒの外では、輝度が高いシャープな光ではなく、柔らかな光を認識することができる。
【００３４】
グレアによる不快感は、前記照明器具３が配置される高さに比例するように薄まることも予測できることから、前記照明器具３が配置される高さ位置（階高さ）に応じて、前記カバー材４の被部４６の被せ高さＬを選択するようにしてもよい。
その際、人が近づく範囲に配置される場合（例えば、１階等のダウンとアッパー）は、被せ高さＬを大きくし、そうでない場合（例えば、２階以上のアッパー）は、被せ高さＬを小さくしてもよい。なお、図１０〜図１３のようにアッパーのみ、またはダウンのみを配置するだけでなく、アッパーとダウンの両方を配置してもよい。
【００３５】
離隔スペースの作用
前記離隔スペースＳ２は、照明器具３の本体３０の外周３００に沿って上下方向に形成されるので、前記カバー材４の内側に浸入する雨水等は、離隔スペースＳ２を介して、落下し、前記カバー材４の下端から排水される。よって、カバー材４の空間Ｓ１（特に被部４６の内側）に水が溜まらず、照明器具３が浸漬することを防止できる。また、前記カバー材４の内側に入り込んだゴミやチリも下方に抜けるようになっている。その際、クリアランスＣを設けることで、雨水等の排出効率が高まる。
更に、照明器具から発生する熱がカバー材４の空間Ｓ１に滞留（特にキャップ５を取り付けた場合）しないよう、空気を循環させることもできる。
【００３６】
組み込みの容易性
前記離隔スペースＳ２の存在により、前記照明器具３の外周３００が前記カバー材４の内周４２０に接することがないことに加え、前記ガイド片４３のヒレで、前記照明器具３がピンポイントで押さえられることにより、スムーズに前記照明器具３を前記カバー材４に収めることができる。
【００３７】
メンテナンスの容易性
一体化されたリフレクタ材２と照明器具３及びカバー材４の前記フレーム１からの取り外し作業は、リフレクタ材２の右起立係止片２１の前記先端部２１０が前記フレーム１の右起立片１３，１４の間に差込まれた状態で行われるので、リフレクタ材２、照明器具３及びカバー材４が、前記フレーム１から俄かに分離され、落下することはなく、メンテナンスの容易性を図ることができる。
前記照明器具及びカバー材が組み込まれた前記リフレクタ材を前記フレームに固定する場合にも、同様な効果を得ることができる。
即ち、前記照明器具３及びカバー材４は前記リフレクタ材２に組み込まれていると共に、前記リフレクタ材２は、前記フレーム１に対して係脱自在に配置され、メンテナンスの容易性を図ることができる。
【００３８】
本発明は、以上説明した実施形態に限定されるものではなく、多くの変形が本発明の技術的思想内で当分野において、通常の知識を有する者により可能である。
【符号の説明】
【００３９】
１  フレーム                            １０  第一の空間
１１  第二の空間
１２  左起立片                          １３，１４  右起立片
２  リフレクタ材                        ２０，２１  左右の起立係止片
２２  反射面                            ２３  第１の切欠
２４  切欠嵌合片                        ２５  固定片
２６  第２の切欠
２１０  先端部
３  照明器具                            ３０  本体
３１  ＬＥＤモジュール                  ３２  入力線
３３  入力側コネクタ                    ３４  出力線
３５  出力側コネクタ                    ３６  照射面
３００  外周
４  カバー材                            ４０  当接部
４１  固定部                            ４２  筒部
４３  ガイド片                          ４４  凹部
４５  基部                              ４６  被部
４７  開口部
４２０  内周                            ４２１  外周
５  キャップ                            ５０  表面部
５１  取付片                            ５２  位置決片
６  フサギ材
Ｓ１  空間
Ｓ２  離隔スペース
Ｃ１，Ｃ２  クリアランス
【図１】
2018073595.tif 000003
【図２】
2018073595.tif 000004
【図３】
2018073595.tif 000005
【図４】
2018073595.tif 000006
【図５】
2018073595.tif 000007
【図６】
2018073595.tif 000008
【図７】
2018073595.tif 000009
【図８】
2018073595.tif 000010
【図９】
2018073595.tif 000011
【図１０】
2018073595.tif 000012
【図１１】
2018073595.tif 000013
【図１２】
2018073595.tif 000014
【図１３】
2018073595.tif 000015